(57)【要約】【課題】  インキ状乃至クリーム状発熱組成物を用いた発熱体による使用時の着衣の汚染を防止し、有効発熱温度を延長し得る発熱体を提供する。【解決手段】  シート状又はフィルム状非通気性基材1aとシート状又はフィルム状通気性被覆材1bとの周縁を重ね互いに接着して成る包材1内にインキ状乃至クリーム状の発熱組成物層2を収容して成る発熱体において、該通気性被覆材1bと該発熱組成物層2との間に、耐水性・防水性及び該通気性被覆材の通気を妨げない通気性を有する不織布3を介在せしめたことを特徴とする発熱体。  該通気性基材1aと該発熱組成物層2の上面又は下面に設けて成る吸水材散布層4との間に耐水性・防水性・通気性を有する不織布3を介在せしめたことを特徴とする請求項1に記載の発熱体。【選択図】      図1
2010136782.tif 000002
【特許請求の範囲】
【請求項１】
シート状又はフィルム状非通気性基材とシート状又はフィルム状通気性被覆材との周縁を重ね互いに接着して成る包材内にインキ状乃至クリーム状の発熱組成物層を収容して成る発熱体において、該通気性被覆材と該発熱組成物層との間に、耐水性・防水性及び該通気性被覆材の通気を妨げない通気性を有する不織布を介在せしめたことを特徴とする発熱体。
【請求項２】
該通気性基材と該発熱組成物層の上面又は下面に設けて成る吸水材散布層との間に耐水性・防水性・通気性を有する不織布を介在せしめたことを特徴とする請求項1に記載の発熱体。
【発明の詳細な説明】
【技術分野】
【０００１】
本発明は、非貼着型カイロ、貼着型カイロとして用いられる発熱体に関する。
【背景技術】
【０００２】
従来の発熱体の発熱組成物として粉状の発熱組成物が用いられているものが一般であるが、粉状の発熱組成物を製造し、これを一部を通気性とした包材で被覆して発熱体を製造し、更にこれを外袋に密封して市販製品とするまでの間に、空気との酸化発熱反応を起こし凝固して種々の弊害が発生したり、上記の製造過程において、発熱組成物が移動して厚みが一定せず、市販製品の輸送段階、更には、発熱体の使用段階で発熱組成物の片寄りが生じ、発熱温度が一定しないなどの課題がある。
かかる粉状の発熱組成物を使用した発熱体の上記の課題を解消するため、特開平9-75388号公報において、粉状の発熱組成物に代え、発熱物質と吸水性ポリマー及び/又は増粘剤と、炭素成分及び/又は金属の塩化物と水を必須成分とし、全体としてインキ乃至クリーム状に形成して成るインキ状乃至クリーム状の発熱組成物及びこれを用いた発熱体及び該発熱体の製造方法に係る発明が開示されている。
【特許文献１】特開平9-75388号公報
【発明の開示】
【発明が解決しようとする課題】
【０００３】
しかし乍ら、上記特許文献1に係るインキ状乃至クリーム状の発熱組成物を用いた発熱体は、上記従来の発熱体の課題は解決されたが、下記の課題を伴う。
即ち、該発熱体は、インキ状乃至クリーム状の発熱組成物を少なくとも一部が通気性を有する包材内に層状に封入し、而も該インキ状乃至クリーム状の発熱組成物の水分の一部を該シート状包材に吸収させて成るものであるため、使用に当たり、該包材を密封した外袋を破り、取り出し、身体に当て使用するときは、同公報の図1に示す実施例1の発熱体で説明すれば、包材1の通気性被覆材4より外気が侵入し、該発熱組成物に接触し、発熱し、その水蒸気が発生し、該水蒸気は該通気性被覆材4を透過し外部に発散されるが、この水蒸気と共に、空気中の酸素と反応して生成する茶褐色の酸化鉄が上昇し、通気性被覆材4の表面を茶褐色汚染し、更には、その通気性被覆材4に接触している着衣を汚染する不都合を生ずる。
この現象は、図2に示す通気性被覆材4と該発熱組成物層2との間に吸水剤の散布層6を介在せしめ発熱体の場合には、更に、汚染が促進されることが判った。
一方、これらの発熱体のインキ状乃至クリーム状の発熱組成物の水分が早く失われるので、有効発熱温度38〜41℃を9時間しか保持できない欠点を有する。
本発明は、かかる課題を解消することを目的とする。
【課題を解決するための手段】
【０００４】
請求項1に係る発明は、シート状又はフィルム状非通気性基材とシート状又はフィルム状通気性被覆材との周縁を重ね互いに接着して成る包材内にインキ状乃至クリーム状の発熱組成物層を収容して成る発熱体において、該通気性被覆材と該発熱組成物層との間に、耐水性・防水性及び該通気性被覆材の通気を妨げない通気性を有する不織布を介在せしめたことを特徴とする発熱体に存する。
更に本発明は、請求項1に記載の発熱体において、該通気性基材と該発熱組成物層の上面又は下面に設けて成る吸水材散布層との間に耐水性・防水性・通気性を有する不織布を介在せしめたことを特徴とする発熱体に存する。
【発明の効果】
【０００５】
請求項1及び2に係る発明によれば、耐水性・防水性・通気性を有し且つ該通気性被覆材の通気性を妨げない不織布により、該発熱体の使用時に、酸化鉄を伴う水分が該通気性被覆材に滲み上がることが防止されるので、その汚染とこれに伴い着衣が汚染されることがない良好な製品が得られる。一方、発熱組成物の水分の消失を遅延することができるので、有効発熱温度を延長することができる。
【発明を実施するための最良の形態】
【０００６】
本発明の実施形態例を添付図面について説明する。
図1は、本発明の実施の1例の発熱体の平面図。図2は図1のII-II線模写断面図である。同図において、1は一部を通気性とした方形の包材を示す。包材1は、シート状又はフィルム状の非通気性基材1aと通気性被覆材1bとから成る。該通気性被覆材1bの透気量は、5,000〜40,000s/100c.cの範囲有するものから所望に選択使用する。両材1a,1bは身体に当てる個所に応じて形状、寸法などを有し、その夫々の周縁を接着剤により互いに気密に結着して包材1としたものである。該非通気性基材1aは、例えば、ポリエチレン、ポリプロピレンなどの合成樹脂、非通気性のフィルムから成る。該通気性被覆材1bは、例えば、不織布と多孔質ポリエチレンフィルムとを通気性フィルムを介して接着して成る。しかし乍ら、これらの材料に限定されないことは言うまでもない。
【０００７】
かかる包材1内には、該非通気性基材1a内面に層状積層した状態に収容されたインキ状乃至クリーム状に稠粘化された発熱組成物(以下単に発熱組成物という)2が収容されている。該発熱組成物2は、上記の特許文献１に具体的にその組成成分や製造法などが記載されているので、茲では詳述しないが、その組成は一般に、発熱物質と吸水性ポリマー及び/又は金属の塩化物と水とを必須成分とし、その配合割合は、一般には、発熱物質100重量部に対し、吸水性ポリマー0.1〜7.5重量部又は/及び増粘剤0.1〜10重量部と、炭素成分1.5〜20重量部及び/又は金属の塩化物1〜10重量部とを必須成分とする。全体としてインキ状乃至クリーム状の粘稠化組成物とするには、上記配合物のうち固形成分の混合物に水或いは塩化物の水溶液乃至分散液を加えて形成してもよく、或いは全成分を混合して形成してもよい。その粘度(温度20℃)で1,000〜7,500,000cpsの範囲とすることが好ましい。
【０００８】
本発明によれば、図1に示すように、該発熱組成物層2と通気量25,000s/100ccを有する該通気性被覆材1bとの間に、耐水性・防水性及び上記の通気性被覆材1bの通気を妨げない通気性を有する不織布3を介入させると共に、該通気性被覆材1bの周縁と該非通気性基材1aの周縁との間に該不織布3の周縁を介入した状態でこれら積層周縁1cを有する包材1を相互に結着して成る本発明の発熱体を構成したものである。
かかる不織布3としては、例えば、SMS不織布が好ましい。該SMS不織布は、高耐水のメルトブローンとその両面に高強度のスパンボンドとの三層から成り、該通気性被覆材1bの裏面に重ね合わせても該通気性被覆材1bの上記の通気性を妨げないこれに対応する通気性を有するものである。該不織布3の材料は、SMS不織布に限定されないことは言うまでもない。
【０００９】
図2は、本発明の発熱体の他の実施例を示す。この実施例は、該発熱組成物層2の上面に吸水剤散布層4を設けた特許文献1の図2に示す実施例に対応する発熱体に適用したもので、該吸水剤散布層4と該通気性被覆材1bとの間に該SMS不織布3を介在せしめて本発明の発熱体を構成したものである。この吸水剤は、発熱物質100重量部に対し5重量部以上が好ましい。
【００１０】
このように、図1又は図2に示す本発明の発熱体は、通常のように非通気性の袋体に収容、密封して市販用製品とすることは勿論である。而して、使用に当たり、袋体を破り、発熱体を取り出し、使用者が身体の所要個所に当てるときは、該発熱体に空気が通気性被覆材1bと該SMS不織布3を通し侵入し、該発熱組成物に含有する発熱物質の良好な酸化反応により温度が上昇するが、有効温度38から41.5℃までの範囲を約13時間保持した。この有効温度は、該発熱組成物2の具体的な配合成分及び夫々の成分配合割合は、鉄粉62.9重量%、水23.9重量%、活性炭10.1%、塩化カリウム2.5重量%、カルボキシメチルセルロースナトリウム0.5重量%、ポリエチレンオキサイド0.1重量%を配合して混合し、この該混合物に対し吸水性ポリマー5重量%を添加混合して成る発熱組成物を含有した発熱体によりもたらされた。この有効温度の延長効果は、該不織布3を該発熱組成物2と該通気性被覆材1bとの間に介在させた結果である。
一方、該SMS不織布3により水分が該通気性被覆材1bに滲み上がることが防止され、従って、茶褐色に着衣が汚染されることはなく、良好に使用することができた。
【００１１】
図示しないが、吸水剤散布層4を、該発熱組成物層2の裏面に、該非通気性基材1aとの間に介在させて構成した本発明の発熱体でも上記と同様の作用効果をもたらす。
【００１２】
本発明の発熱体を身体に貼着して使用する貼着型とする場合には、図1及び図2に示すように、該非通気性基材1aの下面に粘着剤の塗布層5を塗布形成し、その外面にシート状又はフィルム状の剥離基材6を貼着して貼着型発熱体に構成する。
【図面の簡単な説明】
【００１３】
【図１】本発明の実施の1例の発熱体の平面図。
【図２】図1のII-II線截断面模写図。
【図３】本発明の他の実施例の発熱体の断面模写図。
【符号の説明】
【００１４】
1  包材
1a  非通気性基材
1b  通気性被覆材
2  インキ状乃至クリーム状の発熱組成物
3  耐水性・防水性・通気性を有する不織布
4  吸水剤散布層
【図１】
2010136782.tif 000003
【図２】
2010136782.tif 000004
【図３】
2010136782.tif 000005